(57)【要約】【課題】画像の劣化を防止しつつ、読み取り効率の低下を抑制できるようにする。【解決手段】被写体を照明する光源１１１と、被写体からの反射光を光電変換して、被写体上の情報を読み取るセンサ１１３と、センサにより原稿を読み取って得られた画像信号を補正する基準となる第１の濃度基準部材１２７と、第１の濃度基準部材とは異なる第２の濃度基準部材２０１と、第２の濃度基準部材をセンサにより読み取って得られた第２の信号と、第２の濃度基準部材をセンサにより再度読み取って得られた第３の信号とを比較する比較部と、第１の濃度基準部材をセンサにより読み取って得られた第１の信号と、比較部による比較結果とに基づいて、画像信号を補正する補正部と、を具備する。【選択図】　　　図３
2004048697.tif 000002
【特許請求の範囲】
【請求項１】
被写体を照明する光源と、
前記被写体からの反射光を光電変換して、前記被写体上の情報を読み取る読み取り手段と、
前記読み取り手段により原稿を読み取って得られた画像信号を補正する基準となる第１の濃度基準部材と、
該第１の濃度基準部材とは異なる第２の濃度基準部材と、
該第２の濃度基準部材を前記読み取り手段により読み取って得られた第２の信号と、前記第２の濃度基準部材を前記読み取り手段により再度読み取って得られた第３の信号とを比較する比較手段と、
前記第１の濃度基準部材を前記読み取り手段により読み取って得られた第１の信号と、前記比較手段による比較結果とに基づいて、前記画像信号を補正する補正手段と、
を具備することを特徴とする画像読取装置。
【請求項２】
前記第１の濃度基準部材と前記第２の濃度基準部材との間に前記被写体の搬送方向を変更する部材を有することを特徴とする請求項１に記載の画像読取装置。
【請求項３】
前記原稿を給送する給送手段を更に具備し、前記画像信号は、前記給送手段によって給送される原稿を読み取って得られる信号であることを特徴とする請求項１または２に記載の画像読取装置。
【請求項４】
前記給送手段はプラテンローラを備え、前記第２の濃度基準部材は前記プラテンローラであることを特徴とする請求項３に記載の画像読取装置。
【請求項５】
前記給送手段は濃度基準シートを備え、前記第２の濃度基準部材は前記濃度基準シートであることを特徴とする請求項３に記載の画像読取装置。
【請求項６】
前記補正手段は、前記画像信号のゲインを補正することを特徴とする請求項１乃至５のいずれかに記載の画像読取装置。
【請求項７】
前記補正手段は、前記光源の配光分布を補正することを特徴とする請求項１乃至６のいずれかに記載の画像読取装置。
【請求項８】
前記第１の濃度基準部材と前記第２の濃度基準部材は、濃度が異なることを特徴とする請求項１乃至７のいずれかに記載の画像読取装置。
【請求項９】
前記読み取り手段は複数の光電変換部を有し、前記第２及び第３の信号は、前記読み取り手段の複数の光電変換部のうちの所定の光電変換部から出力される信号であることを特徴とする請求項１乃至８のいずれかに記載の画像読取装置。
【請求項１０】
被写体を照明する光源と、前記被写体からの反射光を光電変換して、前記被写体上の情報を読み取る読み取り手段と、前記読み取り手段により原稿を読み取って得られた画像信号を補正する基準となる第１の濃度基準部材と、該第１の濃度基準部材とは異なる第２の濃度基準部材とを備える画像読取装置を制御するための画像読取装置の制御方法であって、
前記第１の濃度基準部材を前記読み取り手段により読み取って第１の信号を生成する第１の読み取りステップと、
前記第２の濃度基準部材を前記読み取り手段により読み取って第２の信号を生成する第２の読み取りステップと、
前記第２の濃度基準部材を前記読み取り手段により再度読み取って第３の信号を生成する第３の読み取りステップと、
前記第２の信号と前記第３の信号を比較する比較ステップと、
前記第１の信号と、前記比較ステップにおける比較結果とに基づいて、前記読み取り手段により前記原稿を読み取って得られた画像信号を補正する補正ステップと、
を具備することを特徴とする画像読取装置の制御方法。
【請求項１１】
前記画像読取装置は、前記第１の濃度基準部材と前記第２の濃度基準部材との間に前記被写体の搬送方向を変更する部材を有することを特徴とする請求項１０に記載の画像読取装置の制御方法。
【請求項１２】
前記画像読取装置は前記原稿を給送する給送手段を更に具備し、前記画像信号は、前記給送手段によって給送される原稿を読み取って得られる信号であることを特徴とする請求項１０または１１に記載の画像読取装置の制御方法。
【請求項１３】
前記給送手段はプラテンローラを備え、前記第２の濃度基準部材は前記プラテンローラであることを特徴とする請求項１２に記載の画像読取装置の制御方法。
【請求項１４】
前記給送手段は白基準シートを備え、前記第２の濃度基準部材は前記白基準シートであることを特徴とする請求項１３に記載の画像読取装置の制御方法。
【請求項１５】
前記補正ステップでは、前記画像信号のゲインを補正することを特徴とする請求項１０乃至１４のいずれかに記載の画像読取装置の制御方法。
【請求項１６】
前記補正ステップでは、前記光源の配光分布を補正することを特徴とする請求項１０乃至１５のいずれかに記載の画像読取装置の制御方法。
【請求項１７】
前記第１の濃度基準部材と前記第２の濃度基準部材は、濃度が異なることを特徴とする請求項１０乃至１６のいずれかに記載の画像読取装置の制御方法。
【請求項１８】
前記読み取り手段は複数の光電変換部を有し、前記第２及び第３の信号は、前記読み取り手段の複数の光電変換部のうちの所定の光電変換部から出力される信号であることを特徴とする請求項１０乃至１７のいずれかに記載の画像読取装置の制御方法。
【請求項１９】
被写体を照明する光源と、前記被写体からの反射光を光電変換して、前記被写体上の情報を読み取る読み取り手段と、前記読み取り手段により原稿を読み取って得られた画像信号を補正する基準となる第１の濃度基準部材と、該第１の濃度基準部材とは異なる第２の濃度基準部材とを備える画像読取装置を制御するための画像読取装置の制御方法をコンピュータに実行させるプログラムであって、
前記第１の濃度基準部材を前記読み取り手段により読み取って第１の信号を生成する第１の読み取りステップと、
前記第２の濃度基準部材を前記読み取り手段により読み取って第２の信号を生成する第２の読み取りステップと、
前記第２の濃度基準部材を前記読み取り手段により再度読み取って第３の信号を生成する第３の読み取りステップと、
前記第２の信号と前記第３の信号を比較する比較ステップと、
前記第１の信号と、前記比較ステップにおける比較結果とに基づいて、前記読み取り手段により前記原稿を読み取って得られた画像信号を補正する補正ステップと、
を具備することを特徴とするプログラム。
【発明の詳細な説明】
【０００１】
【発明の属する技術分野】
本発明は、複写機、スキャナ、ファクシミリ装置等における画像読取技術に関し、特に原稿の連続読取を行う際の、光源の光量、及び配光の変動によるシェーディングの補正を行う技術に関するものである。
【０００２】
【従来の技術】
従来、複写機、スキャナ、ファクシミリ等の画像形成装置においては、光源の光量や配光の変動を補正するために、原稿１枚毎に、あるいはあるタイミング毎に白基準板に移動させて読み取り、その都度シェーディング補正を行うか、画像領域外に端部白板を用意し、その端部白板をモニタして、その変動量に基づいて補正を行っていた。
【０００３】
【発明が解決しようとする課題】
しかしながら、上記従来の手法では、あるタイミングで白基準板に移動させるため、特にコンタクトイメージセンサ（以下ＣＩＳ）においては、著しく読み取り効率が低下する。そして、端部白板を用いた場合には、主走査方向端部の位置で光量をモニタしているので、主走査方向全域の配光の変動を補正することができず、画像が劣化しやすい。
【０００４】
従って、本発明は上述した課題に鑑みてなされたものであり、その目的は、画像の劣化を防止しつつ、読み取り効率の低下を抑制できるようにすることである。
【０００５】
【課題を解決するための手段】
上述した課題を解決し、目的を達成するために、本発明に係わる画像読取装置は、被写体を照明する光源と、前記被写体からの反射光を光電変換して、前記被写体上の情報を読み取る読み取り手段と、前記読み取り手段により原稿を読み取って得られた画像信号を補正する基準となる第１の濃度基準部材と、該第１の濃度基準部材とは異なる第２の濃度基準部材と、該第２の濃度基準部材を前記読み取り手段により読み取って得られた第２の信号と、前記第２の濃度基準部材を前記読み取り手段により再度読み取って得られた第３の信号とを比較する比較手段と、前記第１の濃度基準部材を前記読み取り手段により読み取って得られた第１の信号と、前記比較手段による比較結果とに基づいて、前記画像信号を補正する補正手段と、を具備することを特徴としている。
【０００６】
また、この発明に係わる画像読取装置において、前記第１の濃度基準部材と前記第２の濃度基準部材との間に前記被写体の搬送方向を変更する部材を有することを特徴としている。
【０００７】
また、この発明に係わる画像読取装置において、前記原稿を給送する給送手段を更に具備し、前記画像信号は、前記給送手段によって給送される原稿を読み取って得られる信号であることを特徴としている。
【０００８】
また、この発明に係わる画像読取装置において、前記給送手段はプラテンローラを備え、前記第２の濃度基準部材は前記プラテンローラであることを特徴としている。
【０００９】
また、この発明に係わる画像読取装置において、前記給送手段は濃度基準シートを備え、前記第２の濃度基準部材は前記濃度基準シートであることを特徴としている。
【００１０】
また、この発明に係わる画像読取装置において、前記補正手段は、前記画像信号のゲインを補正することを特徴としている。
【００１１】
また、この発明に係わる画像読取装置において、前記補正手段は、前記光源の配光分布を補正することを特徴としている。
【００１２】
また、この発明に係わる画像読取装置において、前記第１の濃度基準部材と前記第２の濃度基準部材は、濃度が異なることを特徴としている。
【００１３】
また、この発明に係わる画像読取装置において、前記読み取り手段は複数の光電変換部を有し、前記第２及び第３の信号は、前記読み取り手段の複数の光電変換部のうちの所定の光電変換部から出力される信号であることを特徴としている。
【００１４】
また、本発明に係わる画像読取装置の制御方法は、被写体を照明する光源と、前記被写体からの反射光を光電変換して、前記被写体上の情報を読み取る読み取り手段と、前記読み取り手段により原稿を読み取って得られた画像信号を補正する基準となる第１の濃度基準部材と、該第１の濃度基準部材とは異なる第２の濃度基準部材とを備える画像読取装置を制御するための画像読取装置の制御方法であって、前記第１の濃度基準部材を前記読み取り手段により読み取って第１の信号を生成する第１の読み取りステップと、前記第２の濃度基準部材を前記読み取り手段により読み取って第２の信号を生成する第２の読み取りステップと、前記第２の濃度基準部材を前記読み取り手段により再度読み取って第３の信号を生成する第３の読み取りステップと、前記第２の信号と前記第３の信号を比較する比較ステップと、前記第１の信号と、前記比較ステップにおける比較結果とに基づいて、前記読み取り手段により前記原稿を読み取って得られた画像信号を補正する補正ステップと、を具備することを特徴としている。
【００１５】
また、この発明に係わる画像読取装置の制御方法において、前記画像読取装置は、前記第１の濃度基準部材と前記第２の濃度基準部材との間に前記被写体の搬送方向を変更する部材を有することを特徴としている。
【００１６】
また、この発明に係わる画像読取装置の制御方法において、前記画像読取装置は前記原稿を給送する給送手段を更に具備し、前記画像信号は、前記給送手段によって給送される原稿を読み取って得られる信号であることを特徴としている。
【００１７】
また、この発明に係わる画像読取装置の制御方法において、前記給送手段はプラテンローラを備え、前記第２の濃度基準部材は前記プラテンローラであることを特徴としている。
【００１８】
また、この発明に係わる画像読取装置の制御方法において、前記給送手段は白基準シートを備え、前記第２の濃度基準部材は前記白基準シートであることを特徴としている。
【００１９】
また、この発明に係わる画像読取装置の制御方法において、前記補正ステップでは、前記画像信号のゲインを補正することを特徴としている。
【００２０】
また、この発明に係わる画像読取装置の制御方法において、前記補正ステップでは、前記光源の配光分布を補正することを特徴としている。
【００２１】
また、この発明に係わる画像読取装置の制御方法において、前記第１の濃度基準部材と前記第２の濃度基準部材は、濃度が異なることを特徴としている。
【００２２】
また、この発明に係わる画像読取装置の制御方法において、前記読み取り手段は複数の光電変換部を有し、前記第２及び第３の信号は、前記読み取り手段の複数の光電変換部のうちの所定の光電変換部から出力される信号であることを特徴としている。
【００２３】
また、本発明に係わるプログラムは、被写体を照明する光源と、前記被写体からの反射光を光電変換して、前記被写体上の情報を読み取る読み取り手段と、前記読み取り手段により原稿を読み取って得られた画像信号を補正する基準となる第１の濃度基準部材と、該第１の濃度基準部材とは異なる第２の濃度基準部材とを備える画像読取装置を制御するための画像読取装置の制御方法をコンピュータに実行させるプログラムであって、前記第１の濃度基準部材を前記読み取り手段により読み取って第１の信号を生成する第１の読み取りステップと、前記第２の濃度基準部材を前記読み取り手段により読み取って第２の信号を生成する第２の読み取りステップと、前記第２の濃度基準部材を前記読み取り手段により再度読み取って第３の信号を生成する第３の読み取りステップと、前記第２の信号と前記第３の信号を比較する比較ステップと、前記第１の信号と、前記比較ステップにおける比較結果とに基づいて、前記読み取り手段により前記原稿を読み取って得られた画像信号を補正する補正ステップと、を具備することを特徴としている。
【００２４】
【発明の実施の形態】
以下、本発明の好適な一実施形態について、図面を参照しながら説明する。
【００２５】
図１は本発明の一実施形態に係わる画像読取装置の概略構成を示す断面図である。また、図２は図１における画像読取装置本体を上方から見た平面図である。
【００２６】
図１において、画像読取装置は画像読取装置本体１００と、この画像読取装置本体１００に対して着脱自在に構成されたＡＤＦ（オート・ドキュメント・フィーダー：自動給送装置）２００を有している。
【００２７】
ＡＤＦ２００は給紙トレー２０５にセットされた原稿を搬送ローラ２０３，２０４によって、画像読取装置本体１００の流し読みガラス１２２上に搬送して回収する。この際、原稿はＡＤＦ２００に取り付けられたプラテンローラ２０１と画像読取装置本体１００の流し読みガラス１２２との間を通過し、その通過過程で画像読取装置本体１００により光学的に走査されて原稿情報が読取られる。
【００２８】
すなわち、画像読取装置本体１００は、コンタクトイメージセンサ（以下ＣＩＳ）１１０を有し、そのＣＩＳ１１０は、原稿面に対して光を照射するランプ１１１と、ランプ１１１によって照射された光に対応する原稿からの反射光をイメージセンサに導くためのレンズ１１２と、レンズ１１２によって集光された光を光電変換するためのイメージセンサ１１３とをケーシング１１４内に一体に収めて構成されている。
【００２９】
また、ＣＩＳ１１０は、図２のタイミングベルト１２６によって、モータ１２５と結ばれ、モータ１２５の回転駆動により、原稿台ガラス１２１、及び流し読みガラス１２２と平行に移動制御される。ポジションセンサ１２４はＣＩＳ１１０のホームポジション位置を検知するためのセンサであり、ポジションセンサ１２４の位置を基準としてモータ１２５を正転、逆転することにより、ＣＩＳ１１０を移動させ、原稿台ガラス１２１、流し読みガラス１２２上の原稿に対して光学的に走査させる。
【００３０】
また、モータ１２５はステッピングモータにより構成されている。このモータ１２５にはエンコーダ４０２（図４参照）が接続されており、このエンコーダの出力により、ＣＩＳ１１０が何パルス分移動したかを認識できるようになっている。換言すれば、ポジションセンサ１２４の検出信号とエンコーダ４０２からのエンコーダパルスにより、ＣＩＳ１１０の位置を把握することが可能となっている。
【００３１】
原稿からの反射光は、セルフォックレンズ１１２によって導かれ、イメージセンサ１１３上に集光される。イメージセンサ１１３は、原稿情報を反映した上記反射光を光電変換し、電子的な画像信号として出力する。
【００３２】
このような構成により、ＣＩＳ１１０を原稿読取位置に停止させた状態で、ＡＤＦ２００により原稿を搬送させながら原稿情報を読取るＡＤＦ原稿読取モードと、原稿を原稿台ガラス１２１上に固定的に載置して、ＣＩＳ１１０を副走査方向に移動させながら原稿情報を読取る原稿ガラス台原稿読取モードの２つのモードで原稿情報を読み取ることが出来る。
【００３３】
図３は本実施形態で使用するＣＩＳ１１０近傍の構成を示す図である。本実施形態のＡＤＦ２００はプラテンローラ２０１の原稿搬送方向の上流側に、白色のシート部材２１０を備えている。この白色シート部材２１０は、流し読みガラス１２２と略平行に配置されている。また白色シート部材２１０がプラテンローラ２０１に最も近接する先端位置２１１は、図中下方からプラテンローラ２０１および白色シート部材２１０を見たとき、白色シート部材２１０が、ＣＩＳ１１０の主走査方向の画像読み取り範囲の略全域において、プラテンローラ２０１の一部を隠すように配置されている。さらに、ＡＤＦ原稿読取モード時のＣＩＳ１１０の読取位置は、原稿が搬送されていない時には、プラテンローラ２０１表面が読み取られる位置に設定される。原稿台ガラス１２１には白基準白板１２７が備えられている。ジャンプ台１２３はプラテンローラ２０１等により搬送されてくる原稿をジャンプ台の形状に沿ってすくい上げる機構を有するものであり紙を搬送するのに有効である。
【００３４】
図４は本実施形態の画像読取装置の制御系の概略構成を示すブロック図である。
【００３５】
図４において、画像読取装置には、原稿を搬送するプラテンローラ２０１、給紙ローラ２０２、搬送ローラ２０３，２０４と、原稿面に光を照射するランプ１１１と、ＣＩＳ１１０を副走査方向に移動し原稿を走査するモータ１２５と、原稿面からの反射光を光電変換するイメージセンサ１１３と、イメージセンサ１１３の出力信号をＡ／Ｄ変換するＡ／Ｄ変換回路４０１と、モータ１２５に接続されたエンコーダ４０２と、ＣＩＳ１１０をホームポジションに位置決めするためのポジションセンサ１２４と、ＡＤＦ原稿読取モードにおける正規の原稿読取位置を設定するためのバックアップＲＡＭ４０３と、スキャナコントローラ４０４とが備えられている。
【００３６】
なお、スキャナコントローラは後述する図のフローチャートに対応するプログラム等の各種プログラムが格納されたＲＯＭ４０５を含んでいる。
【００３７】
図５は、本実施形態の画像読取装置の画像処理部の構成を示すブロック図である。
【００３８】
図５において、イメージセンサからの画像信号はシェーディング補正部５０１で公知のシェーディング補正が施され、次の配光変動補正部５０２において、以後で詳細に説明する本発明の特徴とするところである配光変動補正が行なわれる。
【００３９】
図６は、本実施形態の画像読取装置の流し読みシーケンスのフローチャートである。
【００４０】
まず、ＣＩＳ１１０はホームポジション上にある色濃度基準部材としての白基準白板１２７を読み取って、シェーディング補正用データを得る（ステップＳ１）。そして、ジャンプ台１２３をくぐって、読取位置に移動して（ステップＳ２）、背景体（具体的にはプラテンローラ２０１の表面）を読み取り、配光変動補正用データを得る（ステップＳ３）。そして、原稿を読取る（ステップＳ４）。次原稿がある場合には、再度原稿間で背景体の読取を行い（ステップＳ３）、原稿を読取る。次原稿がない場合は終了となる。なお、白基準白板と背景体（具体的にはプラテンローラ）は、濃度が異なる。
【００４１】
ここで、プラテンローラの場合には、プラテンローラを回転させた状態にて読み取ることができるので、プラテンローラ上の汚れによる読み取りへの影響を低減することができる。また、メカ構成的に紙をばたつかせずに搬送できる。
【００４２】
上述のようにステップＳ１で読み取り位置に移動した後に白基準白板１２７に戻らない理由の一つは次のようである。すなわち、読み取り位置に移動した後、再び白基準白板１２７を読み取るためにホームポジションへ移動した場合には、ジャンプ台１２３をも再びくぐる必要がある。そのために、戻り時間の制約を軽減するためにステップＳ３で変動補正用データを得るようにする。一方で、ステップＳ１において、シェーディングデータを得ているために、読み取り途中でそのデータを再度取得する必要はなく、連続読み取りに伴う変化を考慮するような構成であれば足りることを考慮したものである。この点、以下に説明する。
図７を用いて、配光変動補正部５０２について説明する。
【００４３】
図７Ａは原稿間でプラテンローラ２０１を読取った時の主走査方向の配光分布を表した図である。
【００４４】
シェーディング補正後（０分）はほぼフラットであるが、２分後には配光が変動してしまう。そのため、従来は原稿間で再度シェーディング補正を行っていたが、ＣＩＳのような構成の時に、白基準白板１２７に再度移動すると、著しく読み取り効率が低下してしまう。さらに、端部白板を用いて、主走査方向に一律にゲインをかける方法もあるが、この方法では主走査方向の中央部と端部において、光量の減少量が異なる時に、配光の変動を補正しきれない。
【００４５】
図８は本実施形態の画像読取装置の原稿間でのプラテンローラ２０１を読み取る動作を示すフローチャートである。
【００４６】
まず、基準となるプラテンローラ２０１を読み取った時の主走査ｍ画素、副走査ｎ画素分を主走査方向の複数ポイントでサンプリングし、それぞれのポイント毎に平均する（ステップＳ１１）。ステップＳ１１において平均化したデータは基準プラテンローラ２０１の平均輝度レベルとして、メモリにバックアップする。複数枚の原稿を読み取る場合に、原稿間で再度読み込んだプラテンローラ２０１をステップＳ１１と同様な方法で主走査ｍ画素、副走査ｎ画素を主走査方向の複数ポイントでサンプリングし、それぞれのポイント毎に平均する（ステップＳ１２）。そして、それぞれのポイントで計算した平均値を用いて、下記の式より減少率を求める（ステップＳ１３）。
【００４７】
減少率＝原稿間でのプラテンローラの平均輝度レベル／基準プラテンローラの平均輝度レベル
その減少率から、それぞれのポイントでのゲイン値を下記の式より求める（ステップＳ１４）。
【００４８】
ゲイン値＝１／減少率
図９は図７を上記のフローチャートの流れにそって具体的に数字で表したものである。
【００４９】
複数のポイント間のゲイン値は、図７Ｂのように、２点のゲイン値から、一次式で近似し、ゲイン値を求める。余計なメモリを持つことなく、２点のゲイン値から、単調増加、あるいは単調減少により全画素分のゲイン値を計算できる。このデータを用いて、配光変動補正演算を行う（ステップＳ１５）。
【００５０】
この配光変動補正は、１枚１枚原稿を読取る毎に原稿間で行っても良いし、所定の枚数毎に行っても良い。比較的ランプの変動量の大きい時間の早い段階では、早いタイミングで配光変動補正を行い、ある程度時間が経ち、ランプの光量が安定した時には、間隔を空けて配光変動補正を行うことも可能である。
【００５１】
ここで、所定枚数ごとに行う場合には、生産性が上がってくると（単位時間あたりの読み取る枚数の増加）、原稿間の時間も短くなり、演算等に使える時間も短くなるため、原稿間で他の処理をする場合も考えると、紙間内で複数の処理が出来なくなる可能性もあるので、例えば、偶数枚目の紙間ではＡの処理を行い、奇数枚目の紙間ではＢの処理を行うような制御にして、紙間で複数の制御を行えるようになる。
【００５２】
また、所定時間経過した場合に行う場合は、例えば、ランプ点灯直後から６０秒ぐらいまでは、減少率が大きいので１枚毎に補正を行い、６０秒を超えるとランプの減少率も小さくなるので、所定枚数毎に行うといった処理制御により、無駄な演算を避けることができる。
【００５３】
減少率をモニタし、ある閾値以上の減少が見られた場合には、それ以降の原稿に対して、配光変動補正を有効にしても良い。これによれば、例えば、上記の所定時間経過した場合とおなじように、減少率が小さい時の無駄な演算を避けることができる。
【００５４】
平均化するサンプルポイント（本実施形態では６ポイント）は多いほうが配光分布を精度よく近似できるので有効である。しかし、ランプの特性によっては、少ないサンプルポイント数でも近似できる可能性もあり、サンプルポイント数、サンプルポイント位置は設定変更可能である。サンプルポイント数を少なくすることにより、処理速度も早くなり、メモリが少なくて済む。そして、サンプルポイント領域は主走査ｍ画素（本実施形態では２５６画素）、副走査ｎ画素（本実施形態では６４画素）を平均することによって、ローラの汚れや、電気的なノイズ成分の影響を低減している。また、主走査ｍ画素をサンプリングすることによって、当該サンプリング場所が汚れていない場合には、汚れによるノイズ成分を低減することができる。
【００５５】
配光変動補正部でのゲイン値は、シェーディング部とは別のメモリに記憶される。これを図１０に表す。図１０は、図５で説明した本実施形態の画像読取装置の画像処理部の構成を示すブロック図において、黒メモリ５０４、白メモリ５０５、及びゲインメモリ５０６との関係を説明する図である。
【００５６】
白基準板１２７は濃度が管理されたもので、読取原稿の基準となる。つまり、シェーディング補正用のゲイン値を書き換える事をせずに済む。これは、第１の濃度基準部材としての白基準板１２７を読み取ることによって算出された値を白メモリ５０５に保持し、配光変動補正部によって算出された値はゲインメモリ５０６に保持する。ここで、たとえば、配光変動補正部用のメモリが確保できない場合には、次のように構成してもよい。すなわち、図１１のようにシェーディング部の白メモリ５０５のゲイン値を配光変動補正も考慮したゲイン値に書き換える構成でも可能である。
【００５７】
また、上述のようにした場合には、読み取り途中でジュンプ台１２３をくぐって再度、色基準部材としての白基準白板１２７を読み取るような時間的制限を受けることなく、良好なシェーディングデータを得ることができ、結果、良好な画像読み取りを行うことができる。
【００５８】
本実施形態の配光変動補正部では、読取った信号にゲインを掛けているが、調光が可能な光源に対しては、光源の光量を補正してもよい。
【００５９】
以上説明したように、上記の実施形態では、原稿間で読取位置上にあるプラテンローラを読取ることにより、生産性を落とすこなく、光源の光量、及び配光の変動を補正することができ、光量、及び配光の変動による画質の劣化を防ぐことが出来る。
【００６０】
なお、上記の実施形態ではプラテンローラ２０１の表面を読み取るように説明したが、白色シート部材２１０を読み取るようにしても良い。これにより、例えば、読み取り位置から、第１の濃度基準部材を読み取りに行くよりも、白色シート部材を読み取りに行く方が距離が近いので、生産性を確保できるメリットがる。
【００６１】
【他の実施形態】
また、各実施形態の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００６２】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００６３】
本発明を上記記憶媒体に適用する場合、その記憶媒体には、先に説明したフローチャートに対応するプログラムコードが格納されることになる。
【００６４】
【発明の効果】
以上説明したように、本発明によれば、画像の劣化を防止しつつ、読み取り効率の低下を抑制することができる。
【図面の簡単な説明】
【図１】本発明の一実施形態に係わる画像読取装置の概略構成を示す断面図である。
【図２】図１における画像読取装置本体を上方から見た平面図である。
【図３】一実施形態の画像読取装置の流し読み部の詳細断面図である。
【図４】図１の画像読取装置の制御系の構成を示すブロック図である。
【図５】一実施形態の画像読取装置の画像処理部の構成を示すブロック図である。
【図６】一実施形態の画像読取装置の流し読み時のシーケンスを示すフローチャートである。
【図７Ａ】プラテンローラを読取った時の配光分布を表した図である。
【図７Ｂ】サンプルポイント間のゲイン値を表した図である。
【図８】一実施形態の画像読取装置の紙間でのプラテンローラを読取る時の画像処理シーケンスを示すフローチャートである。
【図９】図７Ａの配光分布を図８のシーケンスに従い補正をした時の具体的な数値例を表す図である。
【図１０】図５で説明した画像読取装置の画像処理部の構成を示すブロック図において、黒メモリ５０４、白メモリ５０５、及びゲインメモリ５０６との関係を説明する図である。
【図１１】図１０の変形例を示す図である。
【符号の説明】
１００　画像読取装置
１１０　コンタクト・イメージ・センサ（ＣＩＳ）
１１１　キセノン管
１１２　セルフォック・レンズ・アレイ
１１３　イメージセンサ
１１４　ケーシング
１２１　原稿台ガラス
１２２　流し読みガラス
１２３　ジャンプ台
１２４　ポジションセンサ
１２５　モータ
１２６　ベルト
１２７　白基準板
２００　オート・ドキュメント・フィーダー（ＡＤＦ）
２０１　プラテンローラ
２０２　給紙ローラ
２０３　搬送ローラ
２０４　搬送ローラ
２０５　給紙トレー
２１０　白色シート部材
【図１】
2004048697.tif 000003
【図２】
2004048697.tif 000004
【図３】
2004048697.tif 000005
【図４】
2004048697.tif 000006
【図５】
2004048697.tif 000007
【図６】
2004048697.tif 000008
【図７Ａ】
2004048697.tif 000009
【図７Ｂ】
2004048697.tif 000010
【図８】
2004048697.tif 000011
【図９】
2004048697.tif 000012
【図１０】
2004048697.tif 000013
【図１１】
2004048697.tif 000014